(57)【特許請求の範囲】
【請求項１】
複数のデータラインと複数のゲートラインとが交差されて複数の液晶セルを形成する液晶表示パネルと、
入力デジタルビデオデータの階調と前記データラインに供給されるデータ電圧との極性反転時点を判断して、前記データ電圧の階調がホワイト階調からブラック階調に変わる時点と前記データ電圧の極性が反転される時点とを指示するダイナミックチャージシェア制御信号を発生するタイミングコントローラと、
前記タイミングコントローラからのデジタルビデオデータを前記データ電圧で変換して前記データ電圧の極性を変換し、前記ダイナミックチャージシェア制御信号に応答して、正極性データ電圧と負極性データ電圧との間の共通電圧及びチャージシェア電圧のうちで何れか１つを前記データラインに供給するデータ駆動回路と、
前記タイミングコントローラの制御下で前記ゲートラインにスキャンパルスを順次に供給するゲート駆動回路と、
を備え、
前記タイミングコントローラは、
ゲートスタートパルス、ゲートシフトクロック信号、及びゲート出力イネーブル信号を含むゲートタイミング信号をさらに発生して前記ゲート駆動回路の動作タイミングを制御する共に、
ソーススタートパルス、ソースサンプリングクロック、ソース出力イネーブル信号、及び極性制御信号を含むデータタイミング信号をさらに発生して前記データ駆動回路の動作タイミングを制御し、
前記極性制御信号は、前記データラインに供給されるデータ電圧の極性が垂直Ｎ（Ｎは２以上の定数）ドットインバージョン形態に反転されるように、Ｎ水平期間単位で論理が反転され、
前記タイミングコントローラは、
前記デジタルビデオデータの階調を分析して、１ラインに含まれた前記デジタルビデオデータのそれぞれの最上位ビットに基づいて、前記１ラインに含まれたデジタルビデオデータそれぞれの階調を判断し、前記１ラインに含まれたデジタルビデオデータのうちで同一階調を有するデータの個数が所定のしきい値以上であるとき、その階調を前記１ラインに含まれたデジタルビデオデータの代表階調と判断し、隣り合う２つのラインの前記代表階調値がホワイト階調からブラック階調に変わるか否かを分析し、前記代表階調値がホワイト階調からブラック階調に変わる時点を指示する第１チャージシェア信号を発生するデータチェック部と、
前記ゲートシフトクロックをカウントして、前記データラインに供給されるデータ電圧の極性反転時点を分析し、その極性反転時点を指示する第２チャージシェア信号を発生する極性チェック部と、
前記第１チャージシェア信号及び前記第２チャージシェア信号を利用して前記ダイナミックチャージシェア制御信号を発生するダイナミックチャージシェア制御信号発生部と、
を備え、
前記代表階調は、前記ホワイト階調又は前記ブラック階調であることを特徴とする液晶表示装置。
【請求項２】
複数のデータラインと複数のゲートラインとが交差されて複数の液晶セルを形成する液晶表示パネル、デジタルビデオデータを前記データラインに供給されるデータ電圧に変換して前記データ電圧の極性を変換するデータ駆動回路、及び、前記ゲートラインにスキャンパルスを順次に供給するゲート駆動回路、を備えた液晶表示装置の駆動方法において、
入力デジタルビデオデータの階調と前記データラインに供給されるデータ電圧との極性反転時点を判断する段階と、
前記データラインに供給されるデータ電圧の階調がホワイト階調からブラック階調に変わる時点と前記データ電圧の極性が反転される時点とを指示するダイナミックチャージシェア制御信号を発生する段階と、
前記ダイナミックチャージシェア制御信号を利用して前記データ駆動回路を制御することにより、正極性データ電圧と負極性データ電圧の間の共通電圧及びチャージシェア電圧のうちで何れか１つを前記データラインに供給する段階と、
ゲートスタートパルス、ゲートシフトクロック信号、及びゲート出力イネーブル信号を含むゲートタイミング信号をさらに発生して前記ゲート駆動回路の動作タイミングを制御する段階と、
ソーススタートパルス、ソースサンプリングクロック、ソース出力イネーブル信号、及び極性制御信号を含むデータタイミング信号をさらに発生して前記データ駆動回路の動作タイミングを制御する段階と
を含み、
前記極性制御信号は、前記データラインに供給されるデータ電圧の極性が垂直Ｎ（Ｎは２以上の定数）ドットインバージョン形態に反転されるように、Ｎ水平期間単位で論理が反転され、
前記ダイナミックチャージシェア制御信号を発生する段階は、
前記デジタルビデオデータの階調を分析して、１ラインに含まれた前記デジタルビデオデータのそれぞれの最上位ビットに基づいて、前記１ラインに含まれたデジタルビデオデータそれぞれの階調を判断する段階と、
前記１ラインに含まれたデジタルビデオデータのうちで同一階調を有するデータの個数が所定のしきい値以上であるとき、その階調を前記１ラインに含まれたデジタルビデオデータの代表階調と判断する段階と、
隣り合う２つのラインの前記代表階調値がホワイト階調からブラック階調に変わるか否かを分析し、前記デジタルビデオデータがホワイト階調からブラック階調に変わる時点を指示する第１チャージシェア信号を発生する段階と、
前記ゲートシフトクロックをカウントして、前記データラインに供給されるデータ電圧の極性反転時点を分析し、その極性反転時点を指示する第２チャージシェア信号を発生する段階と、
前記第１チャージシェア信号及び前記第２チャージシェア信号を利用して前記ダイナミックチャージシェア制御信号を発生する段階と
を含み、
前記代表階調は、前記ホワイト階調又は前記ブラック階調であることを特徴とする液晶表示装置の駆動方法。
【発明の詳細な説明】
【技術分野】
【０００１】
本発明は液晶表示装置に関し、より詳細にはデータ駆動回路の発熱及び消費電力を減らすようにした液晶表示装置及びその駆動方法に関する。
【背景技術】
【０００２】
液晶表示装置は、ビデオ信号によって液晶セルの光透過率を調節して画像を表示する。アクティブマトリックス（Ａｃｔｉｖｅ  Ｍａｔｒｉｘ）タイプの液晶表示装置は、図１のように、液晶セル（Ｃｌｃ）ごとに形成された薄膜トランジスタ（Ｔｈｉｎ  Ｆｉｌｍ  Ｔｒａｎｓｉｓｔｏｒ、ＴＦＴ）を利用して、液晶セルに供給されるデータ電圧をスイチングすることによりデータを能動的に制御するので、動画像の表示品質を高めることができる。
【０００３】
図１において、ストレージキャパシタ（Ｓｔｏｒａｇｅ  Ｃａｐａｃｉｔｏｒ）Ｃｓｔは、液晶セル（Ｃｌｃ）に充電されたデータ電圧を維持する。データラインＤ１にはデータ電圧が供給され、ゲートラインＧ１にはスキャン電圧が供給される。
【０００４】
このような液晶表示装置は、直流オフセット成分を減少させて液晶の劣化を減らすために、隣り合う液晶セルの間で極性が反転されてフレーム期間単位で極性が反転されるインバージョン方式（Ｉｎｖｅｒｓｉｏｎ）に駆動されている。ところが、データ電圧の極性が変わる度に、データラインに供給されるデータ電圧のスイング幅が大きくなって、データ駆動回路で多くの電流が発生し、データ駆動回路の発熱温度が高くなって消費電力が急増する問題点がある。
【発明の開示】
【発明が解決しようとする課題】
【０００５】
従来の液晶表示装置及びその駆動方法では、データラインに供給されるデータ電圧のスイング幅を減らしてデータ駆動回路の発熱温度及び消費電力を減らすために、データ駆動回路にチャージシェア回路（Ｃｈａｒｇｅ  Ｓｈａｒｅ  Ｃｉｒｃｕｉｔ）やフリーチャージ回路（Ｐｒｅｃｈａｒｇｉｎｇ  Ｃｉｒｃｕｉｔ）を採用しているが、その効果が満足する水準に到逹することができないという課題があった。
【０００６】
本発明の目的は、上記のような課題を解決するために、データ駆動回路の発熱及び消費電力を減らした液晶表示装置及びその駆動方法を提供することにある。
【課題を解決するための手段】
【０００７】
上記目的を達成するために、本発明に係る液晶表示装置は、複数のデータラインと複数のゲートラインとが交差されて複数の液晶セルを形成する液晶表示パネルと、入力デジタルビデオデータの階調とデータラインに供給されるデータ電圧との極性反転時点を判断して、データ電圧の階調がホワイト階調からブラック階調に変わる時点とデータ電圧の極性が反転される時点とを指示するダイナミックチャージシェア制御信号を発生するタイミングコントローラと、タイミングコントローラからのデジタルビデオデータをデータ電圧で変換してデータ電圧の極性を変換し、ダイナミックチャージシェア制御信号に応答して、正極性データ電圧と負極性データ電圧との間の共通電圧及びチャージシェア電圧のうちで何れか１つをデータラインに供給するデータ駆動回路と、タイミングコントローラの制御下でゲートラインにスキャンパルスを順次に供給するゲート駆動回路とを備え、前記タイミングコントローラは、ゲートスタートパルス、ゲートシフトクロック信号、及びゲート出力イネーブル信号を含むゲートタイミング信号をさらに発生して前記ゲート駆動回路の動作タイミングを制御する共に、ソーススタートパルス、ソースサンプリングクロック、ソース出力イネーブル信号、及び極性制御信号を含むデータタイミング信号をさらに発生して前記データ駆動回路の動作タイミングを制御し、前記極性制御信号は、前記データラインに供給されるデータ電圧の極性が垂直Ｎ（Ｎは２以上の定数）ドットインバージョン形態に反転されるように、Ｎ水平期間単位で論理が反転され、前記タイミングコントローラは、前記デジタルビデオデータの階調を分析して、１ラインに含まれた前記デジタルビデオデータのそれぞれの最上位ビットに基づいて、前記１ラインに含まれたデジタルビデオデータそれぞれの階調を判断し、前記１ラインに含まれたデジタルビデオデータのうちで同一階調を有するデータの個数が所定のしきい値以上であるとき、その階調を前記１ラインに含まれたデジタルビデオデータの代表階調と判断し、隣り合う２つのラインの前記代表階調値がホワイト階調からブラック階調に変わるか否かを分析し、前記代表階調値がホワイト階調からブラック階調に変わる時点を指示する第１チャージシェア信号を発生するデータチェック部と、前記ゲートシフトクロックをカウントして、前記データラインに供給されるデータ電圧の極性反転時点を分析し、その極性反転時点を指示する第２チャージシェア信号を発生する極性チェック部と、前記第１チャージシェア信号及び前記第２チャージシェア信号を利用して前記ダイナミックチャージシェア制御信号を発生するダイナミックチャージシェア制御信号発生部とを備え、前記代表階調は、前記ホワイト階調又は前記ブラック階調であることを特徴とする。
また、本発明に係る液晶表示装置の駆動方法は、複数のデータラインと複数のゲートラインとが交差されて複数の液晶セルを形成する液晶表示パネル、デジタルビデオデータを前記データラインに供給されるデータ電圧に変換して前記データ電圧の極性を変換するデータ駆動回路、及び、前記ゲートラインにスキャンパルスを順次に供給するゲート駆動回路、を備えた液晶表示装置の駆動方法において、入力デジタルビデオデータの階調と前記データラインに供給されるデータ電圧との極性反転時点を判断する段階と、前記データラインに供給されるデータ電圧の階調がホワイト階調からブラック階調に変わる時点と前記データ電圧の極性が反転される時点とを指示するダイナミックチャージシェア制御信号を発生する段階と、前記ダイナミックチャージシェア制御信号を利用して前記データ駆動回路を制御することにより、正極性データ電圧と負極性データ電圧の間の共通電圧及びチャージシェア電圧のうちで何れか１つを前記データラインに供給する段階と、ゲートスタートパルス、ゲートシフトクロック信号、及びゲート出力イネーブル信号を含むゲートタイミング信号をさらに発生して前記ゲート駆動回路の動作タイミングを制御する段階と、ソーススタートパルス、ソースサンプリングクロック、ソース出力イネーブル信号、及び極性制御信号を含むデータタイミング信号をさらに発生して前記データ駆動回路の動作タイミングを制御する段階とを含み、前記極性制御信号は、前記データラインに供給されるデータ電圧の極性が垂直Ｎ（Ｎは２以上の定数）ドットインバージョン形態に反転されるように、Ｎ水平期間単位で論理が反転され、前記ダイナミックチャージシェア制御信号を発生する段階は、前記デジタルビデオデータの階調を分析して、１ラインに含まれた前記デジタルビデオデータのそれぞれの最上位ビットに基づいて、前記１ラインに含まれたデジタルビデオデータそれぞれの階調を判断する段階と、前記１ラインに含まれたデジタルビデオデータのうちで同一階調を有するデータの個数が所定のしきい値以上であるとき、その階調を前記１ラインに含まれたデジタルビデオデータの代表階調と判断する段階と、隣り合う２つのラインの前記代表階調値がホワイト階調からブラック階調に変わるか否かを分析し、前記デジタルビデオデータがホワイト階調からブラック階調に変わる時点を指示する第１チャージシェア信号を発生する段階と、前記ゲートシフトクロックをカウントして、前記データラインに供給されるデータ電圧の極性反転時点を分析し、その極性反転時点を指示する第２チャージシェア信号を発生する段階と、前記第１チャージシェア信号及び前記第２チャージシェア信号を利用して前記ダイナミックチャージシェア制御信号を発生する段階とを含み、前記代表階調は、前記ホワイト階調又は前記ブラック階調であることを特徴とする。
【発明の効果】
【００１４】
本発明に係る液晶表示装置及びその駆動方法によれば、ダイナミックチャージシェアリングを利用して、追加的なメモリやデータ流れの変更なしに、データ駆動回路の発熱量と消費電力を低減することができる。
【発明を実施するための最良の形態】
【００１５】
実施の形態１．
以下、図２〜図７を参照しながら、本発明の実施の形態１について説明する。
【００１６】
図２のブロック図において、本発明の実施の形態１に係る液晶表示装置は、液晶表示パネル２０、タイミングコントローラ２１、データ駆動回路２２、及びゲート駆動回路２３を備えている。
【００１７】
液晶表示パネル２０は、２枚のガラス基板の間に液晶分子が注入されて構成される。液晶表示パネル２０の下部ガラス基板には、ｍ個のデータラインＤ１〜Ｄｍと、ｎ個のゲートラインＧ１〜Ｇｎとが交差される。データラインＤ１〜Ｄｍとｎ個のゲートラインＧ１〜Ｇｎとの交差構造によって、液晶表示パネル２０には、マトリックス形態に配置されたｍ×ｎ個の液晶セルＣｌｃが形成される。
【００１８】
液晶表示パネル２０の下部ガラス基板には、データラインＤ１〜Ｄｍ、ゲートラインＧ１〜Ｇｎ、ＴＦＴ、ＴＦＴに接続された液晶セルＣｌｃの画素電極１、及び、ストレージ（ｓｔｏｒａｇｅ）キャパシタＣｓｔなどが形成される。
【００１９】
液晶表示パネル２０の上部ガラス基板上には、ブラックマットリックス、カラーフィルタ及び共通電極２が形成される。共通電極２は、ＴＮ（Ｔｗｉｓｔｅｄ  Ｎｅｍａｔｉｃ）モードやＶＡ（Ｖｅｒｔｉｃａｌ  Ａｌｉｇｎｍｅｎｔ）モードのような垂直電界駆動方式で、上部ガラス基板上に形成され、また、ＩＰＳ（Ｉｎ  Ｐｌａｎｅ  Ｓｗｉｔｃｈｉｎｇ）モードやＦＦＳ（Ｆｒｉｎｇｅ  Ｆｉｅｌｄ  Ｓｗｉｔｃｈｉｎｇ）モードのような水平電界駆動方式で、画素電極１と共に下部ガラス基板上に形成される。
【００２０】
液晶表示パネル２０の上部ガラス基板及び下部ガラス基板のそれぞれには、光軸が直交する偏光板が附着して、液晶と接する内面に液晶のフリーチルト角を設定するための配向膜が形成される。
【００２１】
タイミングコントローラ２１は、垂直／水平同期信号Ｖｓｙｎｃ、Ｈｓｙｎｃ、データイネーブル信号（Ｄａｔａ  Ｅｎａｂｌｅ）、クロック信号ＣＬＫなどのタイミング信号を入力信号として、データ駆動回路２２及びゲート駆動回路２３の動作タイミングを制御するための制御信号を発生する。
【００２２】
このような制御信号は、ゲートスタートパルスＧＳＰ（Ｇａｔｅ  Ｓｔａｒｔ  Ｐｕｌｓｅ）、ゲートシフトクロック信号ＧＳＣ（Ｇａｔｅ  Ｓｈｉｆｔ  Ｃｌｏｃｋ）、ゲート出力イネーブル信号ＧＯＥ（Ｇａｔｅ  Ｏｕｔｐｕｔ  Ｅｎａｂｌｅ）、ソーススタートパルスＳＳＰ（Ｓｏｕｒｃｅ  Ｓｔａｒｔ  Ｐｕｌｓｅ）、ソースサンプリングクロックＳＳＣ（Ｓｏｕｒｃｅ  Ｓａｍｐｌｉｎｇ  Ｃｌｏｃｋ）、ソース出力イネーブル信号（Ｓｏｕｒｃｅ  Ｏｕｔｐｕｔ  Ｅｎａｂｌｅ：ＳＯＥ）、極性制御信号ＰＯＬ（Ｐｏｌａｒｉｔｙ）を含む。
【００２３】
ゲートスタートパルスＧＳＰは、一画面が表示される１垂直期間のうちでスキャンが開始される開始水平ラインを指示する。ゲートシフトクロック信号ＧＳＣは、ゲート駆動回路２３内のシフトレジスタに入力され、ゲートスタートパルスＧＳＰを順次にシフトさせるためのタイミング制御信号として、ＴＦＴのオン（ＯＮ）期間に対応するパルス幅に発生される。ゲート出力イネーブル信号ＧＯＥは、ゲート駆動回路２３の出力を指示する。
【００２４】
ソーススタートパルスＳＳＰは、データが表示される１水平ラインで開始画素を指示する。ソースサンプリングクロックＳＳＣは、ライジング（Ｒｉｓｉｎｇ）またはフォーリング（Ｆａｌｌｉｎｇ）エッジを基準として、データ駆動回路２２内でデータのラッチ動作を指示する。ソース出力イネーブル信号ＳＯＥ（Ｓｏｕｒｃｅ  Ｏｕｔｐｕｔ  Ｅｎａｂｌｅ）は、データ駆動回路２２の出力を指示する。基準極性制御信号ＰＯＬ（Ｐｏｌａｒｉｔｙ）は、液晶表示パネル２０の液晶セルＣｌｃに供給されるデータ電圧の極性を指示する。極性制御信号ＰＯＬは、液晶表示パネル２０のデータラインＤ１〜Ｄｍに供給されるデータ電圧の極性が垂直Ｎ（Ｎは２以上の定数）ドットインバージョン形態に反転されるように、Ｎ水平期間単位で論理が反転される。
【００２５】
また、タイミングコントローラ２１は、データの階調を分析して、２水平期間の間に、ホワイト階調からブラック階調にデータの階調値が変わる時点を分析し、データ電圧の極性が反転される時点を分析する。このようなデータ及び極性の分析結果に基づいて、タイミングコントローラ２１は、データ駆動回路２２の発熱量及び消費電力を低減するためのダイナミックチャージシェアリング信号ＤＣＳ（Ｄｙｎａｍｉｃ  Ｃｈａｒｇｅ  Ｓｈａｒｉｎｇ  Ｓｉｇｎａｌ）を発生する。
【００２６】
データ駆動回路２２は、タイミングコントローラ２１の制御下でデジタルビデオデータ（ＲＧＢｏｄｄ、ＲＧＢｅｖｎｅ）をラッチし、そのデジタルビデオデータをアナログ正極性／負極性ガンマ補償電圧で変換して正極性／負極性データ電圧を発生し、そのデータ電圧をデータラインＤ１〜Ｄｍに供給する。
【００２７】
また、データ駆動回路２２は、ソース出力イネーブル信号ＳＯＥ及びＤＣＳ（ダイナミックチャージシェアリング信号）に応答して、データの階調がホワイト階調からブラック階調に変わる時点と、液晶表示パネル２０に供給されるデータ電圧の極性が反転される時点とにのみ、チャージシェアリングを実行して、共通電圧Ｖｃｏｍまたはチャージシェア電圧をデータラインＤ１〜Ｄｍに供給する。共通電圧Ｖｃｏｍは、正極性データ電圧と負極性データ電圧との間の中間電圧である。チャージシェア電圧は、正極性データ電圧が供給されるデータラインと負極性データ電圧が供給されるデータラインとをショート（ｓｈｏｒｔ）させるときに発生される平均電圧である。
【００２８】
一方、既存のチャージシェアリング駆動では、データとデータとの間で無条件チャージシェアリングを実行するので、データラインＤ１〜Ｄｍに供給されるすべてのデータ電圧が、共通電圧Ｖｃｏｍやチャージシェアリング電圧から上昇する。したがって、データラインＤ１〜Ｄｍに供給されるデータ電圧のスイング幅が大きくなって、データ電圧のライジングエッジ回数は多くなる。
【００２９】
この結果、既存のチャージシェアリング駆動では、データ駆動回路２２の発熱量が多くなって消費電力が必然的に高くなる。
これに比べて、本発明では、データの階調がホワイト階調からブラック階調に変わる時点と、液晶表示パネル２０に供給されるデータ電圧の極性が反転される時点とにのみ、チャージシェアリングを実行するので、データラインＤ１〜Ｄｍに供給されるデータ電圧のスイング幅を減らすと共に、ライジングエッジ回数を減らすことができる。
【００３０】
ゲート駆動回路２３は、シフトレジスタと、シフトレジスタの出力信号を液晶セルのＴＦＴ駆動に相応したスイング幅で変換するためのレベルシフトと、レベルシフトとゲートラインＧ１〜Ｇｎとの間に接続される出力バッファと、をそれぞれ含む複数のゲートドライブ集積回路により構成されており、約１水平期間のパルス幅のキャンパルスを順次に出力する。
【００３１】
図３はタイミングコントローラ２１に内蔵されたＤＣＳ発生回路を示すブロック図である。
【００３２】
図３において、タイミングコントローラ２１は、データチェック部３１、極性チェック部３２、及びＤＣＳ発生部３３を備えている。
【００３３】
データチェック部３１は、デジタルビデオデータＲＧＢの階調値を分析して、連続的に入力される２つのデータがホワイト階調からブラック階調に変わるか否かを判断する。
【００３４】
ここで、階調は、各データに対する階調または１ラインの代表階調である。このようなデータ分析の結果として、データチェック部３１は、デジタルビデオデータＲＧＢがホワイト階調からブラック階調に変わる時点を指示する第１ＤＣＳ信号ＤＣＳ１を発生する。
【００３５】
極性チェック部３２は、ゲートシフトクロックＧＳＣをカウントして、液晶表示パネル２０に供給されるデータ電圧の極性反転時点を判断し、その極性反転時点を指示する第２ＤＣＳ信号ＤＣＳ２を発生する。例えば、データ電圧が液晶表示パネル２０に垂直２ドットインバージョン形態に供給されたら、極性チェック部３２は、ゲートシフトクロックＧＳＣをカウントして、そのカウント値を２で分けて残りが０になる時点を、データの極性が反転される時点と判断する。
【００３６】
ＤＣＳ発生部３３は、第１ＤＣＳ信号ＤＣＳ１と第２ＤＣＳ信号ＤＣＳ２とを論理積演算（ＡＮＤ）して、最終のＤＣＳを発生する。
ＤＣＳ発生部３３から発生されるＤＣＳは、ホワイト階調からブラック階調に変わる時点と、液晶表示パネル２０に供給されるデータ電圧の極性が反転される時点とにのみ、データ駆動回路２２のチャージシェアリング駆動を許容する。一方、ＤＣＳは、上記以外の場合に、データ駆動回路２２のチャージシェアリング駆動を遮断させる。
【００３７】
図４は５個のラインに配置された液晶セルに供給されるデータの階調の一例を示す説明図であり、図５はデジタルビデオデータの階調を示す説明図である。
【００３８】
データチェック部３１は、１ラインに含まれた各データの階調を判断して代表階調を判断する。例えば、１ラインのデータが１３６６個のデータであり、そのうち５０％以上のデータすなわち、６８３個のデータがホワイト階調Ｗであるとすると、データチェック部３１は、図４のように、そのラインＬ１、Ｌ３の代表階調をホワイト階調Ｗと判断する。一方、１ラインのデータが１３６６個のデータであり、そのうち５０％以上のデータがグレー階調Ｇであるとすると、データチェック部３１は、図４のように、そのラインＬ５の代表階調をグレー階調Ｇと判断する。
【００３９】
また、１ラインのデータが１３６６個のデータで、そのうち５０％以上のデータがブラック階調Ｂであるとすると、データチェック部３１は、図４のように、そのラインＬ２、Ｌ４の代表階調をブラック階調Ｂと判断する。
【００４０】
ここで、代表階調の判断基準である５０％は、液晶パネルの駆動特性に応じて変えることができる。
【００４１】
データの階調は、図５のように、デジタルビデオデータの最上位２ビットＭＳＢのみと判断される。１つのデータが８ｂｉｔｓデータであると、１９２〜２５５階調範囲に属した上位階調の最上位ビットＭＳＢは「１１」であり、６４〜１９１階調範囲に属した中位階調の最上位ビットＭＳＢは「１０」または「０１」であり、０〜６３階調範囲に属した下位階調の最上位ビットＭＳＢは「００」である。したがって、データチェック部３１は、デジタルビデオデータＲＧＢの最上位２ビットが「１１」であるとすると、そのデータの階調をホワイト階調Ｗと判断して、デジタルビデオデータＲＧＢの最上位２ビットが「１０」または「０１」であるとそのデータの階調をグレー階調Ｇと判断する。そして、デジタルビデオデータＲＧＢの最上位２ビットが「００」であるとすると、そのデータの階調をブラック階調Ｂと判断する。
【００４２】
図６Ａ〜図６Ｃは本発明の実施の形態１に係る液晶表示装置のダイナミックチャージシェアリング動作例を示す波形図である。
【００４３】
データ駆動回路２２は、垂直で隣り合う２つの液晶セルに供給される２つのデータの階調、または、隣り合う２つのラインに供給されるデータの代表階調が、図６Ａのように、ホワイト階調Ｗからブラック階調Ｂに変わる間の非スキャン期間の間に、チャージシェアリングを実行する。
【００４４】
また、データ駆動回路２２は、垂直で隣り合う２つの液晶セルに供給される２つのデータ電圧の極性が変わる間の非スキャン期間の間に、チャージシェアリングを実行する。これに反して、データ駆動回路２２は、垂直で隣り合う２つの液晶セルに供給される２つのデータの階調、または、隣り合う２つのラインに供給されるデータの代表階調が、ブラック階調Ｂからホワイト階調Ｗ、ブラック階調Ｂからグレー階調Ｇに変わる時点、または、図６Ｂのように、ホワイト階調＋Ｗｈｉｔｅ，＋Ｗｈｉｔｅが連続して供給されたり、ホワイト階調−Ｗｈｉｔｅ，−Ｗｈｉｔｅが連続して供給される場合、図６Ｃのように、ブラック階調＋Ｂｌａｃｋ，＋Ｂｌａｃｋが連続して供給されたり、ブラック階調−Ｂｌａｃｋからブラック階調−Ｂｌａｃｋ，−Ｂｌａｃｋが連続して供給される場合、チャージシェアリングを遮断して、データラインＤ１〜Ｄｍに供給されるデータ電圧のスイング幅及びライジング回数を減らして、データ駆動回路２２の発熱量及び消費電力を低減させる。
【００４５】
データ駆動回路２２は、図６Ａ〜図６Ｃのように、ＤＣＳがロー論理であってソース出力イネーブル信号ＳＯＥがハイ論理期間の間に、チァジシェアリングを実行する。一方、データ駆動回路２２は、ソース出力イネーブル信号ＳＯＥがハイ論理期間だとしてもＤＣＳがハイ論理である場合には、チァジシェアリングを実行しないで、データ電圧をデータラインＤ１〜Ｄｍに供給する。また、データ駆動回路２２は、ソース出力イネーブル信号ＳＯＥがロー論理である場合には、ＤＣＳの論理にかかわらず、データ電圧をデータラインＤ１〜Ｄｍに供給する。
【００４６】
本発明の実施の形態１に係る液晶表示装置の駆動方法は、ラインごとに、入力映像のデータを分析する。データ分析方法は、図７のように、ラインごとに、タイミングコントローラ２１にデータが入力される時点から、液晶表示パネル２０にデータ供給を開始する時点（以下、「パネルロード時点」という）までの期間の間に、２つのラインデータの階調情報を判断する。このようなデータ分析方法は、タイミングコントローラ２１のデータ送信タイミングから、データ駆動回路２２の動作タイミング及びパネルロード時点までの時間を考慮して、２つラインデータの階調情報を判断するので、既存のタイミングコントローラ及びメモリ内にメモリを追加する必要がなく、タイミングコントローラ２０及びデータ駆動回路２２のデータ流れの変更なしに、ラインごとにデータの階調情報を判断することができる。
【００４７】
以上説明した内容を通じて、当業者であれば、本発明の技術思想を逸脱しない範囲で、多様な変更及び修正が可能である。したがって、本発明の技術的範囲は、明細書の詳細な説明に記載した内容に限定されるのではなく、特許請求の範囲によって決められなければならない。
【図面の簡単な説明】
【００４８】
【図１】一般的な液晶表示装置の液晶セルを示す等価回路図である。
【図２】本発明の実施の形態１に係る液晶表示装置を示すブロック図である。
【図３】本発明の実施の形態１に係るタイミングコントローラに内蔵したＤＣＳ発生回路を示すブロック図である。
【図４】図３に示されたデータチェック部３１の階調分析例を示す説明図である。
【図５】図３に示されたデータチェック部３１の階調分析例を示す説明図である。
【図６Ａ】本発明の実施の形態１に係る液晶表示装置のダイナミックチャージシェアリングを示す波形図である。
【図６Ｂ】本発明の実施の形態１に係る液晶表示装置のダイナミックチャージシェアリングを示す波形図である。
【図６Ｃ】本発明の実施の形態１に係る液晶表示装置のダイナミックチャージシェアリングを示す波形図である。
【図７】本発明の実施の形態１に係るタイミングコントローラのデータ分析と、タイミングコントローラとデータ駆動回路間のデータ流れとを示す波形図である。
【図１】
0004974878.tif 000002
【図２】
0004974878.tif 000003
【図３】
0004974878.tif 000004
【図４】
0004974878.tif 000005
【図５】
0004974878.tif 000006
【図６Ａ】
0004974878.tif 000007
【図６Ｂ】
0004974878.tif 000008
【図６Ｃ】
0004974878.tif 000009
【図７】
0004974878.tif 000010